(57)【要約】【課題】マルチサウンドトラックの即時編集に用いられる電子装置および処理方法を提供する。【解決手段】本発明のマルチサウンドトラックの即時編集に用いられる電子装置および処理方法は、楽器に埋め込まれる電子装置、及び楽器の録音及び音声ミキシング処理を即時実行できる方法である。本発明に係る電子装置は、第１の楽器や第２の楽器に接続されることにより、第１及び第２の音声信号を録音するために用いられる。電子装置のタッチパネルには、第１及び第２の音声信号に対応する音声オシログラム（オシログラム）を描画することができ、且つ編集インタフェースには前記音声信号の編集に用いられる複数組の制御キーが提供されている。電子装置では、音声オシログラムから選択区を任意に設定することができ、且つ選択区に関連する音声信号の調整を実行することができる。電子装置は、編集された第１及び第２の音声信号に基づき音声ミキシングを行う。【選択図】図１Ａ
2018157532.tif 000002
【特許請求の範囲】
【請求項１】
複数のサウンドトラックに対し音声ミキシング処理を行うことが可能な電子装置であって、
第１の楽器に接続され、前記第１の楽器からの第１の音声信号を受信するために用いられるか、または第２の楽器に接続され、第２の音声信号を受信するために用いられる入力接続端子と、
前記第１の音声信号の音声属性を調整するために用いられるか、または前記第２の音声信号の前記音声属性を調整するために用いられる、少なくとも１つのコントローラつまみと、
第１のサウンドトラックの音声ファイル、第２のサウンドトラックの音声ファイル、編集プログラム、及びターゲットファイルを格納するために用いられるメモリユニットと、
前記編集プログラムのメニューインタフェースまたは編集インタフェースを表示するために用いられるタッチパネルと、
クリック信号及び選択信号をトリガすると共に、サウンドトラック編集区域中の音声オシログラムの選択区の起点及び終点を選択するために用いられるシャトル制御つまみと、
計算機に電気的に接続され、且つ前記ターゲットファイルを前記計算機に伝送するために用いられる出力接続端子と、
前記入力接続端子、前記コントローラつまみ、前記メモリユニット、及び前記タッチパネルに電気的に接続され、且つ、第１のサウンドトラックを前記サウンドトラック編集区域にロードさせて前記第１のサウンドトラックの前記音声オシログラムを表示させると共に、前記第２のサウンドトラックを他の前記サウンドトラック編集区域にロードさせて前記第２のサウンドトラックの前記音声オシログラムを表示させる処理ユニットとを備えるマルチサウンドトラックの即時編集に用いられる電子装置において、
前記メニューインタフェースは新しいファイルの作成、或いは既存のファイルの選択に用いられるものであり、
前記ファイルは前記ターゲットファイル及び前記第１のサウンドトラックの音声ファイルを含んでおり、
前記編集インタフェースは少なくとも、前記サウンドトラック編集区域と、イコライズ編集区域(EQ)と、ビートスイッチキーと、録音キーと、再生キーと、早戻し再生キー(loop)と、音声ミキシングキーと、挿入録音キー(punch)とを更に含んでおり、
各前記サウンドトラック編集区域は、音声オシログラムと、ボリューム表と、モノトラック再生キー(Solo)と、消音キーとを更に含んでおり、
前記音声オシログラムは前記第１のサウンドトラックの異なる時間における音量変化に従って描画されて得られた波形チャートであり、
前記ボリューム表は前記第１のサウンドトラックに基づいて再生される現在の音量であり、
前記イコライズ編集区域は、前記第１の音声信号または前記第２の音声信号のゲイン値を調整するために用いられており、
また、前記録音キーが有効化される場合、前記処理ユニットが受信した前記第１の音声信号または前記第２の音声信号の波形を前記サウンドトラック編集区域に順に表示し、次いで、前記ゲイン値に応じて前記第１の音声信号または前記第２の音声信号の前記音声属性をそれぞれ調整した後、調整された前記第１の音声信号または前記第２の音声信号をそれぞれ前記第１のサウンドトラックの音声ファイル、又は前記第２のサウンドトラックの音声ファイルとして格納しており、
前記音声ミキシングキーがトリガされる場合、前記処理ユニットは、前記第１のサウンドトラックの音声ファイル及び前記第２のサウンドトラックの音声ファイルを混合して、前記ターゲットファイルを形成することを特徴とするマルチサウンドトラックの即時編集に用いられる電子装置。
【請求項２】
前記入力接続端子の種類はマイク接続プラグまたは回路入力接続プラグであり、
前記出力接続端子の種類はＵＳＢ接続ポートまたはＦｉｒｅＷｉｒｅ(Fire wire)接続ポートであり、
前記ターゲットファイルの種類はウェーブファイル(WAV)、可逆圧縮音声ファイル、または非可逆圧縮音声ファイルであり、
前記メニューインタフェースは前記ターゲットファイルのビットレート選択欄及びサンプリング周波数選択項目を更に含む、ことを特徴とする請求項１に記載のマルチサウンドトラックの即時編集に用いられる電子装置。
【請求項３】
前記処理ユニットに電気的に接続される伝送ユニットを更に備え、
前記処理ユニットは、マッピングプログラムを実行させると共に、前記伝送ユニットを介して、前記メニューインタフェース及び前記編集インタフェースを周辺機器に投射することにより、前記周辺機器の操作画面に前記メニューインタフェースまたは前記編集インタフェースを表示する、ことを特徴とする請求項２に記載のマルチサウンドトラックの即時編集に用いられる電子装置。
【請求項４】
前記シャトル制御つまみは、回転されると前記選択信号を発生するように構成されており、
カーソルを前記音声オシログラムに移動させることにより、前記シャトル制御つまみがクリックされる場合、前記選択区の起点及び終点を決定する、ことを特徴とする請求項１に記載のマルチサウンドトラックの即時編集に用いられる電子装置。
【請求項５】
前記編集プログラムは設定インターフェースを更に含んでおり、
前記設定インターフェースは楽器表示欄、楽器音量調整表、マイク音量調整表、ビート数調整表(Beats)、及びＢＰＭ調整表(BPM)を含んでおり、
前記楽器表示欄は前記入力接続端子に接続される楽器の種類を選択するために用いられる、ことを特徴とする請求項４に記載のマルチサウンドトラックの即時編集に用いられる電子装置。
【請求項６】
前記音声ミキシングキーが有効化される場合、前記処理ユニットは音声ミキシングインタフェースを前記タッチパネルに表示させ、
前記音声ミキシングインタフェースはマイク入力音量と、楽器入力音量と、前記サウンドトラックの総音量と、パン(pan)と、消音と、ソロ再生キー(Solo)とを含む、ことを特徴とする請求項１に記載のマルチサウンドトラックの即時編集に用いられる電子装置。
【請求項７】
複数のサウンドトラックに対し音声ミキシング処理を行うためのマルチサウンドトラックの即時編集に用いられる処理方法であって、
音源端を選択してそれを電子装置に接続する工程と、
前記電子装置のタッチパネルにおける編集プログラムを選択してから、前記編集プログラムにおけるメニューインタフェースから新しいファイルの作成を選択するか、または既存の前記ファイルを選択して開く工程と、
前記電子装置を介して、前記音源端の第１の音声信号を受信して、それを第１のサウンドトラックの音声ファイルとして格納する工程と、
前記電子装置のタッチパネルにおける編集インタフェースを選択してから、前記第１のサウンドトラックの音声ファイルの第１の音声オシログラムを、前記編集インタフェースのサウンドトラック編集区域に音声オシログラム描画する工程と、
前記第１の音声オシログラムに起点及び終点を設定され、且つ前記第１の音声オシログラムの起点から終点までの区間を選択区とする工程と、
前記選択区に対応される前記第１のサウンドトラックの音声ファイルの音声属性を調整する工程と、
調整された前記第１のサウンドトラックの音声ファイルを前記電子装置のメモリユニットに格納する工程と、
前記電子装置を介して第２の音声信号を受信し、且つそれを第２のサウンドトラックの音声ファイルとして格納する工程と、
前記編集インタフェースの他の前記サウンドトラック編集区域において、前記第２のサウンドトラックの音声ファイルの第２の音声オシログラムを描画する工程と、
前記第２の音声オシログラムに選択区を設定され、且つ前記第２のサウンドトラックの音声ファイルの前記音声属性を調整する工程と、
前記第２のサウンドトラックの音声ファイルの前記音声属性の調整が完成された後、前記第２のサウンドトラックの音声ファイルを前記メモリユニットに格納する工程と、
前記第１のサウンドトラックの音声ファイル及び前記第２のサウンドトラックの音声ファイルを混合して、ターゲットファイルとして出力する工程とを含む、ことを特徴とするマルチサウンドトラックの即時編集に用いられる処理方法。
【請求項８】
前記編集プログラムを開く工程において、
既存の前記ファイルを開くためのメニューインタフェースを選択する工程と、
選択された前記ファイルの前記第１のサウンドトラックの音声ファイルと、前記第２のサウンドトラックの音声ファイルに対応して、それぞれ前記第１の音声オシログラムと、前記第２の音声オシログラムとを描画する工程とを更に含む、ことを特徴とする請求項７に記載のマルチサウンドトラックの即時編集に用いられる処理方法。
【請求項９】
前記選択区を設定した後には、
前記編集インタフェースから早戻し再生キーを選択する工程と、
前記選択区に対応する前記第１のサウンドトラックの音声ファイルまたは前記第２のサウンドトラックの音声ファイルを、前記早戻し再生キーが無効になるまで繰り返して再生する工程とを更に含む、ことを特徴とする請求項７に記載のマルチサウンドトラックの即時編集に用いられる処理方法。
【請求項１０】
前記選択区を設定した後には、
前記編集インタフェースの挿入録音キー及び録音キーを選択する工程と、
新しい第１の音声信号を受信して、当該新しい第１の音声信号を前記選択区での前記第１の音声信号ファイルに上書きする工程とを更に含む、ことを特徴とする請求項７に記載のマルチサウンドトラックの即時編集に用いられる処理方法。
【発明の詳細な説明】
【技術分野】
【０００１】
本発明は、オーディオ処理装置及び方法に関し、より詳しくは、マルチサウンドトラックの即時編集に用いられる電子装置および処理方法に関する。
【背景技術】
【０００２】
ピックアップ（pickup）は、主にギター又は、例えば、ベース、ウクレレ、バイオリン、ビオラ、チェロ等の他の弦楽器の共振を収集すると共に、電気信号に変換するために使用される。具体的には、現在市販されているピックアップは音楽の音のみを収集してそれを電気信号に変換した後、その電気信号を音声増幅用のアンプ（スピーカー等の装置）に伝送する。
【発明の概要】
【発明が解決しようとする課題】
【０００３】
しかしながら、現在市販されているピックアップは、即時録音や編集の機能を具備していないため、場所や設備によって制限されるものであることから、音楽を創作するクリエイターは何時でも何処でも録音や創作を行うことが困難である。即時に記録及び編集を実行しようとする場合は、録音インターフェース及び編集ソフトウェアを別途使用しなければならず、又、伝送インターフェース、録音インターフェース、及び編集ソフトウェアがインストールされた電子装置を別途携帯して音楽の創作の際に初歩的な記録を行わねばならないため、録音編集過程が煩雑で不便であった。
【０００４】
また、録音機能を具備していない従来のピックアップのみを使用することだけで、録音を完成することは不可能であるため、録音を行うには、他の録音装置を使用しなければならない。
【０００５】
本発明者らにより、録音や編集の機能を具備するピックアップは現在既に製品化されているため、音楽の創作における初歩的な記録を行うことが可能になっている。
【０００６】
そのほか、さらにより細かな編集を行って音楽作品を創作しようとする場合には、録音や編集の機能を具備する本ピックアップから出力された音楽ファイルを、精細編集するための専用の編集ソフトウェアに伝送することができる。これにより、音楽の製作過程を簡略化することが可能になっている。
【０００７】
そこで、本発明者は上記の欠点が改善可能と考え、鋭意検討を重ねた結果、合理的設計で上記の課題を効果的に改善する本発明の提案に到った。
【０００８】
かかる従来の実情に鑑みて上記課題を解決するために、本発明は、マルチサウンドトラックの即時編集に用いられる電子装置、すなわち、複数のサウンドトラックに対して音声ミキシング処理を行える電子装置を提供することを目的とする。
【課題を解決するための手段】
【０００９】
本発明のマルチサウンドトラックの即時編集に用いられる電子装置は、入力接続端子と、コントローラつまみと、メモリユニットと、タッチパネルと、シャトル制御つまみと、出力接続端子と、処理ユニットとを備える。入力接続端子は第１の楽器に接続されて第１の音声信号を受信するか、または第２の楽器に接続されて第２の音声信号を受信するために用いられる。コントローラつまみは第１の音声信号の音声属性を調整するか、または第２の音声信号の音声属性を調整するために用いられる。メモリユニットは第１のサウンドトラックの音声ファイル、第２のサウンドトラックの音声ファイル、編集プログラム、及びターゲットファイルをセーブするために用いられる。タッチパネルは編集プログラムのメニューインタフェース又は編集インタフェースを表示するために用いられる。メニューインタフェースは新しいファイルの作成を選択するか、又は既存のファイルを選択して開けるために用いられる。上記ファイルはターゲットファイル及び第１のサウンドトラックの音声ファイルを含む。編集インタフェースは少なくとも１つのサウンドトラック編集区域と、イコライズ編集区域（EQ）と、ビートスイッチキーと、録音キーと、再生キーと、早戻し再生キー（loop）と、音声ミキシングキーと、挿入録音キー（punch）とを含んでいる。各サウンドトラック編集区域は音声オシログラムと、ボリューム表と、モノトラック再生キー（Solo）と、及び消音キーとを含んでいる。音声オシログラムは第１のサウンドトラックの異なる時間における音量変化に従って描画されて得られた波形チャートである。ボリューム表は、再生される第１のサウンドトラックの現在の音量を表示するために用いられる。イコライズ編集区域が第１の音声信号または第２の音声信号のゲイン値を調整するために用いられる。シャトル制御つまみはクリック信号及び選択信号をトリガするために用いられる。シャトル制御つまみはサウンドトラック編集区域の音声オシログラムにおける選択区の起点及び終点を選択するために用いられる。出力接続端子は計算機に電気的に接続され、且つターゲットファイルを計算機に伝送するために用いられる。処理ユニットは入力接続端子、コントローラつまみ、メモリユニット、及びタッチパネルに電気的に接続される。処理ユニットは、第１のサウンドトラックの音声ファイルをサウンドトラック編集区域にロードすると共に、第１のサウンドトラックの音声オシログラムを表示するか、又は第２のサウンドトラックの音声ファイルを他のサウンドトラック編集区域にロードすると共に、第２のサウンドトラックの音声オシログラムを表示するために用いられる。
【００１０】
前記タッチパネルの録音キーが有効化される場合、前記処理ユニットが受信された前記第１の音声信号または前記第２の音声信号の波形を前記サウンドトラック編集区域に順に表示し、次いで、前記ゲイン値に応じて前記第１の音声信号或いは前記第２の音声信号の前記音声属性をそれぞれ調整した後、調整された第１の音声信号と前記第２の音声信号とをそれぞれ前記第１のサウンドトラックの音声ファイル、前記第２のサウンドトラックの音声ファイルとして格納する。前記タッチパネルの前記音声ミキシングキーがトリガされる場合、前記処理ユニットが前記第１のサウンドトラックの音声ファイル及び前記第２のサウンドトラックの音声ファイルを混合して、前記ターゲットファイルを生成する。
【００１１】
また、本発明が提供するマルチサウンドトラックを即時編集する方法は、音源端を選択してそれを電子装置に接続する工程と、電子装置のタッチパネルにおける編集プログラムを選択してから、編集プログラムのメニューインタフェース中から新しいファイルの作成を選択するか、又は既存のファイルを選択して開ける工程と、電子装置を介して音源端の第１の音声信号を受信してから、第１のサウンドトラックの音声ファイルとして格納する工程と、電子装置のタッチパネルにおける編集インタフェースを選択してから、編集インタフェースのサウンドトラック編集区域に第１のサウンドトラックの音声ファイルの第１の音声オシログラムを描画する工程と、音声オシログラムから起点及び終点を設定し、且つ第１の音声オシログラムの起点から終点までの区間を選択区とする工程と、選択区に対応される第１のサウンドトラックの音声ファイルの音声属性を調整する工程と、調整された第１のサウンドトラックの音声ファイルを電子装置のメモリユニットに格納する工程と、電子装置を介して第２の音声信号を受信してから、それを第２のサウンドトラックの音声ファイルとして格納する工程と、編集インタフェースの他のサウンドトラック編集区域に第２のサウンドトラックの音声ファイルの第２の音声オシログラムを描画する工程と、第２の音声オシログラムに選択区を設定し、且つ第２のサウンドトラックの音声ファイルの音声属性を調整する工程と、第２のサウンドトラックの音声ファイルの音声属性の調整が完成された後、第２のサウンドトラックの音声ファイルをメモリユニットに格納する工程と、第１のサウンドトラックの音声ファイル及び第２のサウンドトラックの音声ファイルを混合して、ターゲットファイルを出力する工程とを含む。
【発明の効果】
【００１２】
本発明のマルチサウンドトラックの即時編集に用いられる電子装置および処理方法によれば、一つの装置で録音及び音声ミキシングを実現することが可能になるほか、異なるサウンドトラックを時分割で録音するか、又は各サウンドトラックをそれぞれ調整することも可能である。これにより、使用者は前もって録音すると同時に音声ミキシング前の作業を完成することができるため、後に音声ミキシングを行う際に全ての楽器の録音を再度行う必要がなくなり、後続の作業量を減らすことができる。
【００１３】
本発明者らにより、録音や編集の機能を具備するピックアップは現在既に製品化されているため、音楽の創作における初歩的な記録を行うことが可能になっている。
【００１４】
そのほか、さらにより細かな編集を行って音楽作品を創作しようとする場合には、録音や編集の機能を具備する本ピックアップから出力された音楽ファイルを、精細編集するための専用の編集ソフトウェアに伝送することができる。これにより、音楽の製作過程を簡略化することが可能になっている。
【図面の簡単な説明】
【００１５】
【図１Ａ】本発明の電子装置の構成を示す概略図である。
【図１Ｂ】本発明の電子装置のコントローラつまみを示す外観の概略図である。
【図２Ａ】本発明のメニューインタフェースを示す概略図である。
【図２Ｂ】本発明の他のメニューインタフェースを示す概略図である。
【図２Ｃ】本発明のさらなる他のメニューインタフェースを示す概略図である。
【図３Ａ】本発明の編集インタフェースを示す概略図である。
【図３Ｂ】本発明の音声ミキシングインタフェースを示す概略図である。
【図３Ｃ】本発明の他の音声ミキシングインタフェースを示す概略図である。
【図４】本発明のサウンドトラック編集区域を示す概略図である。
【図５Ａ】本発明の選択区の開始点と終了点を設定する操作を示す概略図である。
【図５Ｂ】本発明の選択区を示す概略図である。
【図６Ａ】本発明の選択区を書き過ぎるサウンドトラックを示す概略図である。
【図６Ｂ】本発明のサウンドトラックが切り替えされる時の選択区を示す概略図である。
【図７】本発明の操作プロセス示す概略図である。
【図８Ａ】本発明の他の実施形態を示す概略図である。
【図８Ｂ】本発明のさらなる他の実施形態に係る電子装置及び周辺機器の接続を示す概略図である。
【図９Ａ】本発明の他の実施形態を示す概略図である。
【図９Ｂ】本発明のさらなる他の実施形態の周辺機器を示す概略図である。
【発明を実施するための形態】
【００１６】
以下、図面を参照しながら、本発明に係るマルチサウンドトラックの即時編集に用いられる電子装置および処理方法の実施形態について説明する。尚、以下に説明する実施の形態は、特許請求の範囲に記載された本発明の内容を限定するものではない。また、以下に説明される構成の全てが、本発明の必須要件であるとは限らない。
【００１７】
[実施形態]
以下、本発明の具体的な実施形態について添付図面を参照して説明する。図１Ａ及び図１Ｂは本発明のマルチサウンドトラックの即時編集に用いられる電子装置１００の構成を示す概略図である。そして、本発明のマルチサウンドトラックの即時編集に用いられる電子装置１００は、処理ユニット１１０と、出力接続端子１２０と、入力接続端子１３０と、コントローラつまみ１４０と、シャトル制御つまみ１５０と、メモリユニット１６０と、タッチパネル１７０と、電力ユニット１８０とを備える。
【００１８】
処理ユニット１１０は、入力接続端子１３０、コントローラつまみ１４０、シャトル制御つまみ１５０、出力接続端子１２０、メモリユニット１６０、タッチパネル１７０、及び電力ユニット１８０に電気的に接続している。処理ユニット１１０は、入力接続端子１３０より受信させた各サウンドトラックの音声信号を、サウンドトラックの音声ファイルに変換して格納する。処理ユニット１１０はメモリユニット１６０中のメニューインタフェース３３１、表示インタフェース３３２、または編集インタフェース３３３を実行するために用いられる（前記機能インターフェースについては別の段落で説明する）。
【００１９】
本発明に係る電子装置１００の体積は開発メーカー、楽器の種類、または機能の方向性により決定される。一般に、ギター専用の電子装置１００の体積は大人の手のひらの大きさに合わせることが望ましい。それとも、チェロに使用される電子装置１００の体積は前記電子装置１００の体積より大きいものでもよい。
【００２０】
入力接続端子１３０は単一の接続ポートを有するものに限らず複数の接続ポートを有するものでもよい。入力接続端子１３０は第１の楽器２１０に接続して第１の音声信号を受信するか、又は第２の楽器に接続して第２の音声信号を受信するために用いられる。説明を分かりやすくするために、ここでは音声入力源とされる２つの異なる楽器に別々接続する実施形態を例示して説明するが、実際に応用される際には、３つ以上の楽器を音声入力源として採用することができる。入力接続端子１３０の種類はマイク接続プラグ及びＡＶライン入力端子（Line-in）に限定されることはない。出力接続端子１２０は、計算機２３０に電気的に接続されている。出力接続端子１２０はターゲットファイル３５０を計算機２３０に伝送するために用いられる。出力接続端子１２０の種類はＵＳＢ接続ポート及びＦｉｒｅＷｉｒｅ（Fire wire） 接続ポートを含んでいる。
【００２１】
電子装置１００には少なくとも１つのコントローラつまみ１４０が設置される（図２Ａ参照）。コントローラつまみ１４０は第１の音声信号（または第２の音声信号）の音声属性を調整するか、又は各機能インターフェース中のカーソルの位置を制御するために用いられる。前述の音声属性は音量（volume）と、位相（phase）と、低音（bass）と、中音（middle）と、高音（treble）とを含んでいる。音量のコントローラつまみ１４０は、再生時のサウンドトラックの出力音量を制御するために用いられる以外、録音時の音量を制御するためにも使用される。使用者は、各音声属性のコントローラつまみ１４０を直接回転することにより、選択されたサウンドトラックの音声属性を調整することが可能である。シャトル制御つまみ１５０はクリック信号及び選択信号をトリガするために用いられる。換言すれば、使用者は、シャトル制御つまみ１５０を押すことにより、クリック信号をトリガすることができ、更に、シャトル制御つまみ１５０を回転させることにより信号を選択することができる。本発明に係る電子装置１００は、クリック信号により各機能インターフェース（例えば、編集インタフェース３３３、表示インタフェース３３２、またはメニューインタフェース３３１）から選択された関連機能を確認することができる。また、信号を選択することにより、機能インターフェース中選択された機能の位置は機能インターフェースに変動することが可能になる。
【００２２】
メモリユニット１６０は第１のサウンドトラックの音声ファイル３１１（または第２のサウンドトラックの音声ファイル３１２）、編集プログラム３２０、設定インターフェース３３０、音声ミキシングインタフェース３４０、及びターゲットファイル３５０格納するために用いられる。設定インターフェース３３０は楽器表示欄と、楽器音量調整表と、マイク音量調整表と、ビート数調整表（Beats）と、ＢＰＭ調整表（Beats per minutes 、BPM）とを含んでいる。楽器表示欄は入力接続端子１３０に接続された楽器の種類を選択するために用いられる。編集プログラム３２０は複数の異なる制御機能のページで構成されている。本発明の編集プログラム３２０はメニューインタフェース３３１と、表示インタフェース３３２または編集インタフェース３３３とを含んでいる。編集プログラム３２０は前述の機能インターフェースを介して入力された音声信号を調整するために用いられる。
【００２３】
タッチパネル１７０には編集プログラム３２０のメニューインタフェース３３１、表示インタフェース３３２、または編集インタフェース３３３が表示される。メニューインタフェース３３１は新しいファイルの作成を選択するか、又は、既存のファイルを選択して開けるために用いられる（図２Ａ及び図２Ｂ参照）。使用者が新しいファイルの作成を選択した場合、タッチパネル１７０にはターゲットファイル３５０のビットレート選択欄３３１１及びサンプリング周波数選択項目３３１２が別途表示される（図２Ｃ参照）。表示インタフェース３３２は、第１の音声信号または第２の音声信号が受信された際の各音声属性の表示に用いられる。表示インタフェース３３２には音量、位相、低音、中音、及び高音に対応する欄が区分される（図２Ｄ参照）。前述のファイルはターゲットファイル３５０及び第１のサウンドトラックの音声ファイルを含むか、又は、他のより多くのサウンドトラックの音声ファイルを含む。
【００２４】
本発明の編集インタフェース３３３はファイルキー４１１と、電力表示欄４１２と、取り消しキー４１３（undo）と、再実行キー４１４（redo）と、少なくとも１つのサウンドトラック編集区域４１５と、イコライズ編集区域（EQ）と、ビートスイッチキー４１６（click）と、録音キー４１７と、再生キー４１８と、停止キー４１９と、音声ミキシングキー４２１（Mixer）と、早戻し再生キー４２２（loop）と、挿入録音キー４２３（punch）とを含んでいる。前述の各キーはタッチパネル１７０に生成される仮想キーである。図３Ａは編集インタフェース３３３を示す外観の概略図である。前記各キーの配列は、タッチパネル１７０の種類や形状などの違いに応じて変更されて、異なる配列を呈することができる。早戻し再生キー４２２及び挿入録音キー４２３は選択区５１０に組み合わせねばならず、詳しくは後述する。
【００２５】
イコライズ編集区域は、選択されたサウンドトラック編集区域４１５に対応するサウンドトラックの各周波数帯を表示するために用いられるが、各サウンドトラックのゲイン値を調整するために用いられてもよい。ビートスイッチキー４１６は、ビートのオンとオフが示す音響効果を設定するために用いられる。しかし、ビートを示す音響は、サウンドトラック中に録音されることはない。録音キー４１７がトリガされると、入力された音声信号の録音が開始される。録音キー４１７がトリガされた後、処理ユニット１１０が先ず数拍子の準備音を再生させ、その後に第１の音声信号３１１または第２の音声信号３１２の入力が開始される。使用者が録音キー４１７を無効にすると、現在のサウンドトラックの録音が停止される。再生キー４１８は、サウンドトラック編集区域４１５中のサウンドトラックの再生に用いられるほか、サウンドトラック編集区域４１５に選択区５１０が存在する場合、選択区５１０中のサウンドトラックを再生するために使用することもできる。音声ミキシングキー４２１がトリガされた後、タッチパネル１７０には音声ミキシングインタフェース３４０が表示される。
【００２６】
また、音声ミキシングインタフェース３４０はマイク入力音量と、楽器入力音量と、前記サウンドトラックの総音量と、パン（pan）と、消音キー４１６４と、ソロ再生キー４１８（Solo）とを含む （図３Ｂ参照）。音声ミキシングインタフェース３４０中の録音キー４１７は複数組のサウンドトラック編集区域４１５のサウンドトラックをミキシングさせ、且つ単一のターゲットファイル３５０として出力させる。ターゲットファイル３５０の種類はウェーブファイル（WAV）、可逆圧縮音声ファイル（uncompressed）、または非可逆圧縮音声ファイル（compressed）である。音声ミキシングインタフェース３４０において、使用者がビートスイッチキー４１６を選択すると、選択されたサウンドトラックに対するビートの調整が行える（図３Ｃ参照）。
【００２７】
取り消しキー４１３は１つ前の編集動作の取り消しを行うために用いられる。これにより、操作が失敗した際には、使用者に対し救済措置を提供することができる。再実行キー４１４は１つ前の編集動作を再度実行するために使用される。これにより、使用者は同じ編集処理を再度実行できる。
【００２８】
各サウンドトラック編集区域４１５は音声オシログラム４１６１と、ボリューム表４１６２と、モノトラック再生キー４１６３（Solo）と、消音キー４１６４（Mute）とを含んでいる。図４は本発明のサウンドトラック編集区域を示す概略図である。音声オシログラム４１６１は第１のサウンドトラックの各時間における音量変化に基づいて描画され、ボリューム表４１６２は再生される第１のサウンドトラックの現在の音量に基づく。第１のサウンドトラック及び第２のサウンドトラックを例にして挙げれば、処理ユニット１１０は第１のサウンドトラックを、サウンドトラック編集区域４１５にロードして第１のサウンドトラックの音声オシログラム４１６１を表示することができ、且つ第２のサウンドトラックを、他のサウンドトラック編集区域４１５にロードして第２のサウンドトラックの音声オシログラム４１６１を表示することができる。処理ユニット１１０はゲイン値に応じて第１の音声信号の音声属性の調整を行うために用いられる。処理ユニット１１０は編集後の第１の音声信号を第１のサウンドトラックの音声ファイルとして格納するために用いられる。同様に、他のサウンドトラックの録音に対しても前述と同じ処理を行うことができる。本発明はサウンドトラックの音声ファイルの録音が完成した後には編集を実行することができるほか、サウンドトラックの音声ファイルの録音過程においては、使用者により指定された音響効果を加えることができる。以下の説明では、完成されたサウンドトラックの音声ファイルについて説明するが、実際に運用される場合、録音過程においては、使用者は前述の操作を行うことで録音中の音声信号を編集することができる。
【００２９】
モノトラック再生キー４１６３がトリガされると、選択されたサウンドトラック以外の他のサウンドトラックは、再生の過程において消音されるとなっている。使用者が消音キー４１６４をトリガさせると、対応するサウンドトラックを再生している際には、他の再生されたサウンドトラックを混入することがなくなる。また、レンダリング（render）、録音、或いは他の処理が進行中のサウンドトラック編集区域４１５は違う色で表示され、他の未使用のサウンドトラック編集区域４１５と区別される。
【００３０】
使用者は図５Ａ中から編集したいサウンドトラック編集区域４１５を選択する。使用者が何れか１つのサウンドトラック編集区域４１５を選択した後には、シャトル制御つまみ１５０を回転させすることで、カーソルを音声オシログラム４１６１中で左右に移動させることができる。使用者は、カーソルを特定の位置まで移動させると共に、シャトル制御つまみ１５０を押すことができる。使用者が最初にシャトル制御つまみを押す場合、処理ユニット１１０が音声オシログラム４１６１の前記位置を選択区５１０の起点として設定することができる。使用者がシャトル制御つまみ１５０及びカーソルを回転させると共に、シャトル制御つまみ１５０を押すことで、選択区５１０の終点を設定することができる。そうすると同時に、図５Ｂ中の音声オシログラム４１６１において白い色を呈する区域を選択区５１０としてすることができる。また、本発明は、前述のビート数マークの関連設定により、シャトル制御つまみ１５０のスケール毎に対応する各カーソルの前進範囲を更に決定することができる。
【００３１】
使用者は、早戻し再生キー４２２をトリガさせると共にシャトル制御つまみ１５０を回転させることにより、音声オシログラム４１６１中のカーソルの位置を決定することができる。使用者は、前述の方式により選択区５１０の区間の長さを設定することができる。選択区５１０の設定が完成した場合、選択区５１０は、処理ユニット１１０により拡大される上に、タッチパネル１７０にフルスクリーンで表示されている。使用者が早戻し再生キー４２２を再度トリガさせると、音声信号の再生は処理ユニット１１０により停止される上で、サウンドトラック編集区域４１５の表示画面を元に戻すことになっている。
【００３２】
挿入録音キー４２３は、既存のサウンドトラックの上書きを実現するために用いられる。録音されたサウンドトラック中には瑕疵が存在している場合、使用者は先ず音声オシログラム４１６１から瑕疵のある部分（例えば、選択区５１０）を選択することができる。選択区５１０の設定が完成されたら、使用者は、挿入録音キー４２３を有効化させることで、当該選択区５１０におけるサウンドトラックの一部に対し再度録音を行うことができる。つまり、使用者は、当該サウンドトラックにおける瑕疵のある部分について、再度録音することにより、新たに録音されたサウンドトラックを選択区５１０に上書きすることができる（図６Ａを参照）。
【００３３】
また、使用者は、編集インタフェース３３３において、次のサウンドトラックを選択することができる（図６Ａ中のキー「Ｔ」は次のサウンドトラックを表示する）。また、処理ユニット１１０は、選択区５１０の時間セクションに対応して、それと同じセクションを次のサウンドトラックから選択することができる。つまり、異なるサウンドトラックであるとしても、選択区５１０は、同一の時間セクション中に出現される。このため、使用者は、異なるサウンドトラックのみを切り換えるだけでもよく、選択区５１０を再度設定する必要はなくなっている（図６Ｂ参照）。
【００３４】
本発明によれば、早戻し再生キー４２２及び挿入録音キー４２３は組み合わせて使用することができる。先ず、使用者は早戻し再生キー４２２をトリガさせることで、選択区５１０を設定することができる。次いで、使用者は挿入録音キー４２３をトリガさせることで、挿入録音を行う選択区５１０を設定することができる。挿入録音が完成したら、処理ユニット１１０は、早戻し再生キー４２２により設定された選択区５１０まで飛び返すと共に、前述のサウンドトラックを再生することになっている。これにより、早戻し再生キー４２２により設定された選択区５１０の再生は、処理ユニット１１０により終了したら、タッチパネル１７０上には、「カバー」とする提示が表示される。使用者はサウンドトラックの「カバー」を選択することができるか、又は、「放棄」を選択して再録音を行うことができる。これにより、各サウンドトラックの選択過程において録音キー４１７及び再生キー４１８が使用者により押される回数を減少することが可能になっている。電力ユニット１８０は外部電源に接続するか、又は、内蔵の電池に接続することができる。処理ユニット１１０、メモリユニット１６０、及びタッチパネル１７０の作動に必要な電力は、電力ユニット１８０により供給される。
【００３５】
図７を参照しながら、本発明の主な操作方法を説明する。図７は本発明の操作プロセスを示す概略図である。なお、本発明のマルチサウンドトラックを即時編集する処理方法は、以下に示す複数の工程を含む。
音源端を選択してそれを電子装置に接続する工程Ｓ７１０。
電子装置のタッチパネルにおける編集プログラムを選択してから、編集プログラムにおけるメニューインタフェースから新しいファイルの作成を選択するか、又は、既存のファイルを選択して開ける工程Ｓ７２０。
電子装置を介して音源端の第１の音声信号を受信し、それを第１のサウンドトラックの音声ファイルとして格納するさせる工程Ｓ７３１。
電子装置のタッチパネルにおける編集インタフェースを選択してから、第１のサウンドトラックの音声ファイルの第１の音声オシログラムを編集インタフェースのサウンドトラック編集区域に描画する工程Ｓ７３２。
音声オシログラムにおいて起点及び終点を設定し、且つ第１の音声オシログラムでの起点から終点までの区間を選択区とする工程Ｓ７３３。
選択区に対応する第１のサウンドトラックの音声ファイルの音声属性を調整する工程Ｓ７３４。
調整された第１のサウンドトラックの音声ファイルを電子装置のメモリユニットに格納する工程Ｓ７３５。
電子装置を介して第２の音声信号を受信し、且つそれを第２のサウンドトラックの音声ファイルとして格納する工程Ｓ７４１。
編集インタフェースの他のサウンドトラック編集区域において、第２のサウンドトラックの音声ファイルの第２の音声オシログラムを描画する工程Ｓ７４２。
第２の音声オシログラムにおいて選択区を設定し、且つ第２のサウンドトラックの音声ファイルの音声属性を調整する工程Ｓ７４３。
第２のサウンドトラックの音声ファイルの音声属性の調整が完成された後、第２のサウンドトラックの音声ファイルをメモリユニットに格納する工程Ｓ７５０。
第１のサウンドトラックの音声ファイル及び第２のサウンドトラックの音声ファイルを混合してターゲットファイルとして出力する工程Ｓ７６０。
【００３６】
先ず、タッチパネル１７０上に表示されたメニューインタフェース３３１を参照する。使用者は既存のファイルを開くことができる以外、新しいファイルを作成することもできる（図２Ａ参照）。以下、新しいファイルを例にし、サウンドトラックの録音及び音声ミキシング処理について説明する。
【００３７】
次に、使用者より選択された楽器（即ち、音源端）を電子装置１００に接続させる。ここでは、電子装置１００が第１の楽器２１０及び第２の楽器に接続される場合について説明する。第１の楽器２１０に対応している入力サウンドトラック信号を第１の音声信号として定義すると共に、音声オシログラム４１６１を第１のサウンドトラック編集区域４１５に表示する。第２の楽器に対応している入力サウンドトラック信号を第２の音声信号として定義すると共に、音声オシログラム４１６１を第２のサウンドトラック編集区域４１５に表示する。
【００３８】
使用者は、録音前にメニューインタフェース３３１を使用して、第１の楽器２１０（または第２の楽器）の録音するビットレート（bit rate）及びサンプリング周波数（sample rate）を設定することができる。また、使用者は、設定インターフェース３３０において、ビート数（beats）及びＢＰＭを設定することができる。使用者は、ビート数調整表またはＢＰＭ調整表をタッチすることで、それに対応する項目を前記欄の中から選択することができる（図２Ｂを参照）。使用者は、メニューインタフェース３３１のビットレート選択欄３３１１及びサンプリング周波数選択項目３３１２を利用することで、出力されるターゲットファイル３５０の各関連属性を決定することができる。ビットレートは、例えば、３２／６４／１２８／１９２／３２０ｋｂｐｓである範囲にすることが好ましい。サンプリング周波数は、例えば、４４．１／４８／８８．２／９６ｋＨｚである範囲することが好ましい。
【００３９】
電子装置１００が録音を行っていない場合、使用者は、表示インタフェース３３２を介して第１の楽器２１０が弾かれることにより入力された音量、位相、中音、低音、及び高音等のデータを見つけることができる。録音キー４１７が使用者により有効化された場合、電子装置１００により受信された第１の音声信号の録音は開始される。受信された第１の音声信号は、電子装置１００を介して第１のサウンドトラックの音声ファイルに変換させて、メモリユニット１６０に一時的に格納される。第１の音声信号が入力されると同時に、処理ユニット１１０を介して、第１の音声信号に対応して第１の音声オシログラム４１６１をサウンドトラック編集区域４１５に描画する。同様に、処理ユニット１１０を介して、第２の楽器に対応する第２の音声信号の第２の音声オシログラム４１６１をサウンドトラック編集区域４１５に描画する。
【００４０】
第１のサウンドトラックの音声ファイル及び第２のサウンドトラックの音声ファイルの録音が完成した後、使用者は、タッチパネル１７０上の２つのサウンドトラック編集区域４１５を選択して音声ミキシングキー４２１をタッチすると、同時にタッチパネル１７０に音声ミキシングインタフェース３４０が表示される。使用者は音声ミキシングインタフェース３４０中で各サウンドトラックのマイク入力音量、楽器入力音量、前記サウンドトラックの総音量、パン（pan）、消音、及びソロ再生キー４１８（Solo）の調整を行える。処理ユニット１１０は第１のサウンドトラックの音声ファイル及び第２のサウンドトラックの音声ファイルを混合して、ターゲットファイル３５０として出力することができる。電子装置１００が計算機２３０に接続されると、ターゲットファイル３５０は、電子装置１００により計算機２３０に伝送さされる。
【００４１】
第１のサウンドトラックの音声ファイル（または第２のサウンドトラックの音声ファイル）の録音が開始から完成までの過程においては、使用者は第１のサウンドトラックの音声ファイルを再生することができる以外、第１のサウンドトラックの音声ファイルの一部に対して編集を行うことができる。使用者は、編集しようとするサウンドトラックを選択することができ、又それに対応するサウンドトラック編集区域４１５を選択することができる。次いで、使用者は、シャトル制御つまみ１５０を回転することで、カーソルをサウンドトラック編集区域４１５に移動することができる。カーソルの移動単位は前述の小節数に応じて決定される。使用者は、編集しようとする起点及び終点を音声オシログラム４１６１から選択することができ、且つ選択されたセクションを選択区５１０として定義することができる。選択区５１０は、明るさや色の違いにより音声オシログラム４１６１の他の部分から区分される。使用者は早戻し再生キー４２２を使用して選択区５１０のサウンドトラックを再度聴くことができ、挿入録音キー４２３を使用してサウンドトラックを再度録音し、選択区５１０に上書きすることも可能である。
【００４２】
使用者は録音されたサウンドトラックに瑕疵があることを発見した場合、使用者は音声オシログラム４１６１における瑕疵のある部分を選択区５１０として設定することができる。選択区５１０の設定が完成された後、使用者は挿入録音キー４２３を有効化させる場合、選択区５１０におけるサウンドトラックに対し再度録音を行うことができる。換言すれば、使用者は、サウンドトラックにおける瑕疵のある部分について、再度録音を行うことができ、且つ新たに録音されたサウンドトラックを選択区５１０に上書きすることができる。
【００４３】
第２の音声信号について、使用者は、前述の方式に対応する処理を行うことで第２のサウンドトラックの音声ファイルを生成することができる。他の楽器の録音が必要な場合、本発明に係る電子装置１００によれば、第３の音声信号又は、より多くの音声信号をファイルとして録音することができる。使用者が全てのサウンドトラックの音声ファイルが完成された後には、使用者は、音声ミキシングキー４２１をトリガして音声ミキシングインタフェース３４０から複数のサウンドトラックを選択して録音を行うことができる。処理ユニット１１０は、選択されたサウンドトラックの音声ファイルを音声ミキシングしてターゲットファイル３５０として出力することができる。
【００４４】
前述の実施態様以外、本発明は他の実施態様にも適用される（図８Ａを参照）。この実施態様において、電子装置１００及び周辺機器２４０を少なくとも備える。電子装置１００は第１の楽器２１０の第１の音声信号（または第２の楽器２２０の第２の音声信号）を受信するために用いられる。電子装置１００は電気ケーブル又はワイヤレス伝送を介して周辺機器２４０に接続される。
【００４５】
電子装置１００は処理ユニット１１０と、出力接続端子１２０と、入力接続端子１３０と、コントローラつまみ１４０と、シャトル制御つまみ１５０と、メモリユニット１６０と、タッチパネル１７０と、電力ユニット１８０と、伝送ユニット１９０とを備える。処理ユニット１１０は入力接続端子１３０、コントローラつまみ１４０、シャトル制御つまみ１５０、出力接続端子１２０、メモリユニット１６０、伝送ユニット１９０、タッチパネル１７０、及び電力ユニット１８０に電気的に接続される。入力接続端子１３０、コントローラつまみ１４０、シャトル制御つまみ１５０、出力接続端子１２０、メモリユニット１６０、タッチパネル１７０、及び電力ユニット１８０は、前記に述べた作用と同じであるため、再述はしない。伝送ユニット１９０は処理ユニット１１０に電気的に接続される。伝送ユニット１９０は周辺機器２４０への接続に用いられるほか、メニューインタフェース（または編集インタフェース）を周辺機器２４０に伝送させるためにも使用される。
【００４６】
伝送ユニット１９０の種類は物理的ケーブルによるＵＳＢ又はＦｉｒｅＷｉｒｅを含む以外、ブルートゥース（Bluetooth）或いはＷｉＦｉ（Wi-Fi network）等の方式で実現してもよい。電子装置１００は伝送ユニット１９０が周辺機器２４０に接続されるとしたら、周辺機器２４０の操作画面にメニューインタフェース３３１（表示インタフェース３３２又は編集インタフェース３３３）が表示される。使用者は、周辺機器２４０の操作画面を使用することで、それに対応する機能をメニューインタフェース３３１から選択したり、関連する設定値を変更することができる（図８Ｂを参照）。
【００４７】
前述の実施態様を別に、本発明は他の実施態様にも適用される（図９Ａを参照）。この実施態様において、電子装置９１０及び周辺機器９２０を少なくとも備える。電子装置９１０は第１の処理ユニット９１１と、入力接続端子９１２と、メモリユニット９１３と、電力ユニット９１４と、第１の伝送ユニット９１５とを含む。第１の処理ユニット９１１は入力接続端子９１２、メモリユニット９１３、電力ユニット９１４、及び第１の伝送ユニット９１５に電気的に接続される。第１の処理ユニット９１１はメモリユニット９１３中の編集プログラム３２０及びマッピングプログラム９１６の実行に用いられる。入力接続端子９１２は第１の楽器２１０から発せられた第１の音声信号の受信に用いられる。第１の処理ユニット９１１は、受信された第１の音声信号及びそれに対応する操作に応えて、第１の音声信号ファイルとして出力することができる。第１の伝送ユニット９１５は計算機または周辺機器９２０に選択的に接続することが可能である。電子装置９１０が計算機２３０に接続されるとしたら、電子装置９１０が第１の音声信号ファイルを計算機２３０に伝送させる。電子装置９１０が周辺機器９２０に接続されるとしたら、使用者は周辺機器９２０を利用して電子装置９１０の関連操作を制御することができる。
【００４８】
周辺機器９２０は第２の処理ユニット９２１と、第２の伝送ユニット９２２と、操作画面９２３と、電池ユニット９２４とを備える。周辺機器９２０の種類は携帯電話やタブレット端末でもよい。第２の処理ユニット９２１は第２の伝送ユニット９２２、操作画面９２３、及び電池ユニット９２４に電気的に接続される。第２の処理ユニット９２１、第２の伝送ユニット９２２、及び操作画面９２３の作動に必要な電力は、電池ユニット９２４により供給される。第２の伝送ユニット９２２は、電子装置９１０への接続に用いられ、且つマッピングプログラム９１６の関連データを受信することができる。第２の処理ユニット９２１は、マッピングプログラム９１６のデータに基づいて操作画面９２３上で編集プログラム３２０の関連インターフェースを描画させる（図２Ａ乃至図６Ｂを参照）。電子装置９１０が第１の楽器２１０の第１の音声信号を受信するとしたら、使用者の指定したインターフェース以外、第１の音声信号の関連処理画面も電子装置９１０により同期で描画させる（例えば、第１の音声信号の音声オシログラム）。本実施態様において、編集プログラム３２０のターゲットファイル３５０、メニューインタフェース３３１、表示インタフェース３３２、及び編集インタフェース３３３中には仮想シャトル制御つまみ及び仮想制御キーが加えられる。使用者は周辺機器９２０により電子装置９１０の関連機能の制御を行うことができる（前述の編集プログラム及び関連操作と組み合わせられる）（図９Ｂを参照）。
【００４９】
本発明に係るマルチサウンドトラックの即時編集に用いられる電子装置１００および処理方法は、単一の装置による録音及び音声ミキシングを実現することができる以外、異なるサウンドトラックを時分割で録音することもでき、又、各サウンドトラックに対する調整を行うこともできる。使用者は先に録音すると同時に音声ミキシング前の作業を完成させることができる。これにより、後で音声ミキシングを行う際に全ての楽器の録音を再度行う必要がなくなり、後続の作業量を減らすことができる。また、サウンドトラックの音声ファイルの録音過程においては、使用者は、編集しようとする音響効果をサウンドトラックの音声ファイルに随時加えることができる。
【００５０】
本発明の電子装置は携帯式楽器に使用することが可能であり、演奏者は、場所や設備を制限されず、何時でも何処でも録音及び編集を行うことができる。よって、インスピレーションが来たら、演奏者はそれを忘れないうちに記録や創作を即時に行うことができる上、優れた創作のチャンスを逃すことがなくなる。
【００５１】
従って、本明細書に開示された実施例は、本発明を限定するものではなく、説明するためのものであり、このような実施例によって本発明の思想と範囲が限定されるものではない。本発明の権利範囲は特許請求の範囲により解釈すべきであり、それと同等の範囲内にある全ての技術は、本発明の権利範囲に含まれるものと解釈すべきである。
【符号の説明】
【００５２】
１００  電子装置
１１０  処理ユニット
１２０  出力接続端子
１３０  入力接続端子
１４０  コントローラつまみ
１５０  シャトル制御つまみ
１６０  メモリユニット
１７０  タッチパネル
１８０  電力ユニット
１９０  伝送ユニット
２１０  第１の楽器
２２０  第２の楽器
２３０  計算機
２４０  周辺機器
３１１  第１のサウンドトラックの音声ファイル
３１２  第２のサウンドトラックの音声ファイル
３２０  編集プログラム
３３１  メニューインタフェース
３３２  表示インタフェース
３３３  編集インタフェース
３３１１  ビットレート選択欄
３３１２  サンプリング周波数選択項目
３４０  音声ミキシングインタフェース
３５０  ターゲットファイル
４１１  ファイルキー
４１２  電力表示欄
４１３  取り消しキー
４１４  再実行キー
４１５  サウンドトラック編集区域
４１６  ビートスイッチキー
４１７  録音キー
４１８  再生キー
４１９  停止キー
４２１  音声ミキシングキー
４２２  早戻し再生キー
４２３  挿入録音キー
４１６１  音声オシログラム
４１６２  ボリューム表
４１６３  モノトラック再生キー
４１６４  消音キー
５１０  選択区
９１０  電子装置
９１１  第１の処理ユニット
９１２  入力接続端子
９１３  メモリユニット
９１４  電力ユニット
９１５  第１の伝送ユニット
９１６  マッピングプログラム
９２０  周辺機器
９２１  第２の処理ユニット
９２２  第２の伝送ユニット
９２３  操作画面
９２４  電池ユニット
【図１Ａ】
2018157532.tif 000003
【図１Ｂ】
2018157532.tif 000004
【図２Ａ】
2018157532.tif 000005
【図２Ｂ】
2018157532.tif 000006
【図２Ｃ】
2018157532.tif 000007
【図３Ａ】
2018157532.tif 000008
【図３Ｂ】
2018157532.tif 000009
【図３Ｃ】
2018157532.tif 000010
【図４】
2018157532.tif 000011
【図５Ａ】
2018157532.tif 000012
【図５Ｂ】
2018157532.tif 000013
【図６Ａ】
2018157532.tif 000014
【図６Ｂ】
2018157532.tif 000015
【図７】
2018157532.tif 000016
【図８Ａ】
2018157532.tif 000017
【図８Ｂ】
2018157532.tif 000018
【図９Ａ】
2018157532.tif 000019
【図９Ｂ】
2018157532.tif 000020